(57)【要約】【課題】  複数のコンピュータを介して出力指令された複数のユーザーの出力動作がかち合った場合における自分の出力を待つ時間の浪費や、画像形成装置の排紙部分に満載された出力物を取り除く作業を行う時間の浪費を防止できる画像形成装置を提供すること。【解決手段】  各ユーザーのクライアント５、ユーザーのスケジュールを管理するスケジュールサーバ３、及び画像形成装置１とネットワーク接続され、スケジュールサーバ３及びクライアント５と通信できる機能を持つコントローラ２を有する印刷制御装置であって、コントローラ２が、ユーザーから出された出力指令を画像形成装置１が実行するのに要する出力所要時間を計算し、出力所要時間と、スケジュールサーバ３から得られるユーザーのスケジュールの空き時間及び他の出力指令の実行予定とを比較し、その結果得られた出力所要時間を確保できる時間帯に出力指令を実行させるように制御することを特徴とする印刷制御装置。【選択図】        図１
2006088641.tif 000002
【特許請求の範囲】
【請求項１】
ユーザーが印刷ジョブの出力命令を出すために使用するコンピュータ、前記ユーザーのスケジュールを管理するスケジュール管理手段、及び前記コンピュータの出力命令に応じて出力する画像形成手段とネットワーク接続され、
前記スケジュール管理手段及び前記コンピュータと通信できる機能を持つ制御手段を有する印刷制御装置であって、
前記制御手段が、前記ユーザーから前記コンピュータを通じて出された出力指令を前記画像形成手段が実行するのに要する出力所要時間を計算し、前記出力所要時間と、前記スケジュール管理手段から得られる前記ユーザーのスケジュールの空き時間及び他の出力指令の実行予定とを比較し、その結果得られた前記出力所要時間を確保できる時間帯に出力指令を実行させるように制御することを特徴とする印刷制御装置。
【請求項２】
前記制御手段が、前記出力所要時間を確保できる時間帯のうち、前記ユーザーによる出力指令があったときから最も近い時間帯に出力指令を実行させるように制御することを特徴とする請求項１に記載の印刷制御装置。
【請求項３】
前記制御手段が、前記出力所要時間を確保できる時間帯を前記ユーザーに提示し、前記ユーザーの選択した時間帯に出力指令を実行させるよう制御することを特徴とする請求項１に記載の印刷制御装置。
【請求項４】
前記制御手段が、前記スケジュール管理手段から得られる印刷ジョブの出力指令を行ったユーザーのスケジュールと、前記画像形成手段を共有している他のユーザーのスケジュールとを比較し、前記出力所有時間を確保できる時間帯のうち前記他のユーザーのスケジュールが最も埋まっている時間帯に出力指令を実行させるように制御することを特徴とする請求項１に記載の印刷制御装置。
【請求項５】
前記画像形成手段が複数の出力物保持手段を有する後処理手段を備え、
前記制御手段が、前記ユーザーの指定する出力期限時間内に前記出力所要時間を確保できる時間帯がある場合には、前記複数の出力物保持手段のうちの第１の出力物保持手段に出力されるよう出力指令を実行させ、
前記ユーザーの指定する出力期限時間内に前記出力所要時間を確保できる時間帯がない場合には、前記複数の出力物保持手段のうちの第２の出力物保持手段に出力されるよう出力指令を実行させるように制御することを特徴とする請求項１ないし４のいずれか一つに記載の印刷制御装置。
【請求項６】
前記画像形成手段が出力物をその搬送方向に対して垂直方向の第１出力位置と第２出力位置にオフセット出力可能な機能を有し、
前記制御手段が、前記ユーザーの指定する出力期限時間内に前記出力所要時間を確保できる時間帯がある場合には、前記第１出力位置に出力されるよう出力指令を実行させ、
前記ユーザーの指定する出力期限時間内に前記出力所要時間を確保できる時間帯がない場合には、前記第２出力位置に出力されるよう出力指令を実行させるように制御することを特徴とする請求項１ないし４のいずれか一つに記載の印刷制御装置。
【請求項７】
ユーザーから出力指令された出力内容データを記録することができる格納手段を備え、
前記制御手段が、前記ユーザーの指定する出力期限時間内に前記出力所要時間を確保できる時間がない場合には、前記格納手段に前記出力内容データを記録させるように制御することを特徴とする請求項１ないし４のいずれか一つに記載の印刷制御装置。
【請求項８】
前記制御手段が、前記画像形成手段に備えられ、
前記画像形成手段が、印刷ジョブの出力指令を制御することを特徴とする請求項１ないし７のいずれか一つに記載の印刷制御装置。
【請求項９】
プリントサーバがネットワーク接続され、
前記制御手段が、前記プリントサーバに備えられ、
前記プリントサーバが、印刷ジョブの出力指令を制御することを特徴とする請求項１ないし７のいずれか一つに記載の印刷制御装置。
【請求項１０】
ユーザーが印刷ジョブの出力命令を出すために使用するコンピュータ、前記ユーザーのスケジュールを管理するスケジュール管理手段、及び前記コンピュータの出力命令に応じて出力する画像形成手段とネットワーク接続され、前記スケジュール管理手段及び前記コンピュータと通信できる機能を持つ制御手段による印刷制御方法であって、
前記ユーザーから前記コンピュータを通じて出された出力指令を前記画像形成手段が実行するのに要する出力所要時間を計算し、前記出力所要時間と、前記スケジュール管理手段から得られる前記ユーザーのスケジュールの空き時間及び他の出力指令の実行予定とを比較し、その結果得られた前記出力所要時間を確保できる時間帯に出力指令を実行させるように制御することを特徴とする印刷制御方法。
【発明の詳細な説明】
【技術分野】
【０００１】
本発明は印刷制御装置及び印刷制御方法、特に電子写真方式で記録媒体上に画像を形成する複写機やプリンタ等の画像形成装置の印刷を制御する印刷制御装置及び印刷制御方法に関するものである。
【背景技術】
【０００２】
従来、電子写真方式を用いた画像形成装置、特にプリント機能を有する画像形成装置において、例えば下記特許文献１のように、出力所要時間や出力時刻を算出してユーザーに通知する機能を持つものがあった。
【０００３】
しかしながら、出力物を取りに行くタイミングは、他人に委ねる場合以外は、出力指示を出した本人が自分の都合に合わせていた。例えば、会議などが無いスケジュールの空いた時間帯に出力物を取りに行っていた。
【特許文献１】特開平１１−１９８４９１号公報
【発明の開示】
【発明が解決しようとする課題】
【０００４】
しかしながら、上記従来例では、次に記すような課題があった。
【０００５】
すなわち、従来、電子写真方式を用いた画像形成装置、特にプリント機能を有する複合機等の画像形成装置において、１台の画像形成装置を複数のユーザーがそれぞれのコンピュータを介し共有して使用していた場合、未印刷のジョブが複数溜まってしまうケースが多々発生していた。その際に生じ得る具体的な問題点としては、下記のようなものが挙げられる。
【０００６】
（１）急いで出力したい人への迷惑になるケース
各ユーザーは、重要度の高低にかかわらず、とりあえず印刷ジョブの出力指令をパソコン等のクライアントから行っていた。そして、特に急がなければ、自分の都合の良い時間に出力物を取りに行っていた。そのため、出力指令を行ったユーザーａが出力物を画像形成装置の所に取りに行くことができない時間に出力された場合、さらに出力動作中に別のユーザーｂが出力指令を行い、当該別のユーザーｂが即座に自分の出力指令による出力物を取る目的で画像形成装置の所に行ったとしても、その別のユーザーｂは、自分の出力物が出力される前に、ａの出力物が出力されるまで待たなくてはならない、といった無駄な待ち時間が生じていた。
【０００７】
（２）画像形成装置の排紙部分に出力物が満載されて動作が停止してしまうケース
前記（１）と同様に、出力指令を行ったユーザーａが出力物を画像形成装置の所に取りに行けない時間に大量に出力された場合、画像形成装置の排紙枚数（又は排紙の高さ）の上限を超えてしまって画像形成装置の動作が停止してしまうことがある。このような事態になると、出力指令を行ったユーザーａの後から出力指令を行ったユーザーｂは、自分の出力を待つだけでなく、さらに画像形成装置の排紙部分に満載されたユーザーａの出力物を取り除く作業までも行わなくては自分の出力物が取り出せない、といった時間の浪費が生じていた。
【０００８】
本発明は、上記のような問題点に鑑みてなされたものであり、複数のユーザーによる複数のクライアントの出力動作がかち合った場合における自分の出力を待つ時間の浪費や、画像形成装置の排紙部分に満載された出力物を取り除く作業を行う時間の浪費等を防止できる画像形成装置を提供することを課題とするものである。
【課題を解決するための手段】
【０００９】
本発明は上述した課題を解決するためになされたものであり、以下の構成を備える。
【００１０】
ユーザーが印刷ジョブの出力命令を出すために使用するコンピュータ、前記ユーザーのスケジュールを管理するスケジュール管理手段、及び前記コンピュータの出力命令に応じて出力する画像形成手段とネットワーク接続され、前記スケジュール管理手段及び前記コンピュータと通信できる機能を持つ制御手段を有する印刷制御装置であって、前記制御手段が、前記ユーザーから前記コンピュータを通じて出された出力指令を前記画像形成手段が実行するのに要する出力所要時間を計算し、前記出力所要時間と、前記スケジュール管理手段から得られる前記ユーザーのスケジュールの空き時間及び他の出力指令の実行予定とを比較し、その結果得られた前記出力所要時間を確保できる時間帯に出力指令を実行させるように制御することを特徴とする印刷制御装置。
【発明の効果】
【００１１】
本発明によれば、各クライアントに対し出力指令を出す各ユーザーの空き時間に出力を行うため、出力指令をしたものの出力物を取りに行かずに放置して、他のユーザーに迷惑を掛けることがなくなる。しかもユーザーの空き時間の検索は出力指令を出すユーザーのスケジュールから自動的に行うので、ユーザーの記憶に頼ることなく精度良く出力を行える。
【００１２】
さらに、以上のような本発明の実施により、自分の出力物が出力されるまで待つ、あるいは画像形成装置の排紙部分に満載された出力物を取り除く作業を行うといった無駄な時間浪費を防止し、生産効率の高い業務遂行が実現可能になる。
【発明を実施するための最良の形態】
【００１３】
以下に本発明を実施するための最良の形態を以下の実施形態に基づいて説明する。
（第１の実施形態）
図１は、本発明を実施した画像形成装置のシステムを示した図である。図１で１はプリンタとして具現化した画像形成装置、２は制御手段を示し、例えばＣＰＵなどで構成されるコントローラである。ここで、コントローラ２が備えられる位置は、画像形成装置１の内部又は外部を問わない。３はスケジュール管理手段（スケジュールサーバ）であり、４はＬＡＮケーブルであり、５は画像形成装置１やスケジュールサーバ３とＬＡＮケーブル４を通じてネットワーク接続され、各ユーザーが画像形成装置１に対して印刷ジョブの出力指令を出すために使用する複数のコンピュータ（以下、クライアントという）である。ここでスケジュールサーバ３には、画像形成装置１を共用する各クライアント５を使用する各ユーザーのスケジュールを記録できる。
【００１４】
周知のようにユーザーは、各自のクライアント５から印刷ジョブの出力指令を出すことで、画像形成装置１から出力を行うことができ、図１のように複数のクライアント５で画像形成装置１を共用しているケースが一般的である。
【００１５】
図２は、本発明を実施した画像形成装置１の制御ルーチンのフローチャートである。まず、ユーザーからクライアント５を介して出力指令が出されると（ステップ１００）、画像形成装置１に備えられたコントローラ２で出力所要時間Ｔ１が計算される（ステップ１０１）。
【００１６】
次にコントローラ２は、外部のスケジュールサーバ３と通信することによってユーザーのスケジュール内の空き時間Ｔ２を検索し（ステップ１０２）、さらにＴ１≦Ｔ２であるかどうかを比較する（ステップ１０３）。ここで、Ｔ２が複数存在する場合には、Ｔ１と複数のＴ２のそれぞれとの間で長さを比較する。Ｔ１≦Ｔ２となるＴ２が存在する場合には、ユーザーのスケジュール内の空き時間Ｔ２の中で、現在から最も近い空き時間に出力指令を自動的に行い（ステップ１０４）、実際の出力動作がなされる（ステップ１０５）。
【００１７】
また、出力指令の実行時間が決定した段階で、ユーザーの利便性向上のため、出力時刻をクライアント５を通じてユーザーに通知できるようにしておくと望ましい。
【００１８】
一方、すべてのＴ２においてＴ１＞Ｔ２である場合には、ユーザーのスケジュールの空き時間内に出力できないことをユーザーに通知し（ステップ１０６）、クライアント５を通じてユーザーにスケジュールの空き時間以外での出力希望の有無を選択させる（ステップ１０７）。それでもユーザーが出力を望む場合は、ユーザーに出力時間の設定を促し（ステップ１０８）、ユーザーがクライアントを通じて設定した出力時間になったら出力を行う（ステップ１０５）。他方、ユーザーが空き時間以外での出力を希望しなかった場合には、出力は中止される（ステップ１０９）。
【００１９】
上述の具体的な説明をさらに図３を用いて行う。図３は、複数のクライアント５の画面上に表示された特定のユーザーのスケジュールを示す。ここでは月曜日から金曜日までのスケジュールが１時間を１マスとして表示されており、黒い部分は予定が入っている時間帯である。例えば、現在が月曜日の９時で、特定のユーザーの印刷ジョブの出力所要時間Ｔ１が３０分だとすると、月曜日のスケジュール内の空き時間Ｔ２は図３のＡ（３０分）、Ｂ（１時間）、Ｃ（１時間〜）の時間帯があるので、Ａ〜Ｃの中で現在から最も近い空き時間に出力指令を自動的に行うので、この場合は図３のＡの時間帯で出力を行うことになる。
【００２０】
また、その後月曜日の１１時に、特定のユーザーが出力所要時間Ｔ１＝４０分の印刷ジョブの出力指令を出したとすると、図３のＡとの比較ではＴ１＞Ｔ２であるので、この場合は次にＴ１≦Ｔ２の条件を満たす図３のＢの時間帯で出力を行うことになる。
【００２１】
このように、本実施形態によれば、スケジュールサーバ３（スケジュール管理手段）と通信することによって自動的に空き時間をユーザーのスケジュールから検索して、出力可能な時間帯の中で一番早い時間帯に出力することで、出力指示者であるユーザーが、確実に出力物を取りに行ける時間に、いち早く出力物を得ることができる。また、ユーザーが出力物を画像形成装置の所に取りに行くことができる時間に出力を行うので、大量に出力を行った場合でも、画像形成装置の排紙部分に出力物が満載されて、出力動作が停止するようなこともなくなる。
（第２の実施形態）
次に本発明の第２の実施形態を、図４を用いて説明する。図４は、本発明を実施した画像形成装置１の制御ルーチンのフローチャートである。
【００２２】
ここではＴ２が他のユーザーによって出された出力指令と両立し得るかどうかを検索するところまでは、上述の第１実施形態と同じである。異なるのはＴ１≦Ｔ２となる複数のＴ２が存在する場合で（ステップ２０３）、空き時間Ｔ２の中でいつ出力するかクライアント５を通じてユーザーに選定させるようにする（ステップ２０４）。
【００２３】
具体的な説明を図３を用いて行うと、火曜日の９時に特定のユーザーがクライアント５を通じて出力所要時間Ｔ１が３０分の出力指令を行った場合、ユーザーはクライアント５からスケジュールの空き時間Ｔ２として図３のＤ（１時間）、Ｅ（３０分）、Ｆ（１時間）の３つの出力候補時間帯が提示されるので、ユーザーはこの３つの候補（＝いずれもユーザーのスケジュールの空いている時間帯）の中から優先度に応じて出力指示を行えば良い。
【００２４】
このように、本実施形態によれば、ユーザーが確実に出力物を取りに行ける時間のうち、最もユーザーの都合が良い時間に出力物を得ることができる。また、ユーザーが出力物をプリンタの所に取りに行くことができる時間に出力を行うので、大量に出力を行った場合でも、プリンタの排紙部分に出力物が満載されて、動作が停止するようなこともなくなる。
（第３の実施形態）
次に、本発明の第３の実施形態を図５を用いて説明する。図５はユーザーａ〜ｇの７人によって構成されているグループの、ある１日分のスケジュールを示した表である。ここで黒い四角印は予定が入っていることを示している。例えば、ユーザーａが、１３時に出力指令を行った場合、Ｇ、Ｈ、Ｉの３つの空き時間の候補があるが、この中からスケジュールサーバ３によって自動的に他のユーザーの空き時間が少ない時間帯を検索して、その時間帯に出力を行うものである。つまり、この場合はＧ、Ｈ、Ｉの３つの時間帯の中で、他のユーザーｂ〜ｇの空き時間が一番少ない（逆の言い方をすれば一番各人の予定が入っている）時間帯であるＧの時間帯に出力される。
【００２５】
このように、本実施形態によれば、自分の都合の良い時間（＝ａが自分で出力した出力物を取りに行ける）に出力できるだけでなく、他のユーザーを画像形成装置の前で自分（＝本実施形態ではａ）の出力のために待たせることないので、時間の有効活用が図れる。
（第４の実施形態）
次に本発明の第４の実施形態を図６と図７を用いて説明する。図６において７は出力用紙を整理する用に供する後処理装置（ソータ、スタッカ、フィニッシャ等）を示し、画像形成装置１と結合している。
【００２６】
８、９、１０は排出された用紙が載るメイントレイ（第１出力物保持手段）、１１は排出された用紙が載るサブトレイ（第２出力物保持手段）である。また、１２、１３、１４は排出された用紙を表す。
【００２７】
図７のフローチャートでは新たに、出力期限時刻Ｔ３を用いる。これは出力完了の期限となる時刻を表すものである。図７のフローチャートでは、ユーザーはクライアント５を通じて出力指令時にこの出力期限時刻Ｔ３を入力する（ステップ３００）。その後は第１実施形態と同様に、コントローラ２は出力所要時間Ｔ１を計算し（ステップ３０１）、ユーザーのスケジュールと出力期限時刻Ｔ３との比較を行う（ステップ３０２）。そして、出力期限時刻Ｔ３までに空き時間Ｔ２が存在するか否と（ステップ３０３）、Ｔ１とＴ２の大小の関係（ステップ３０４）によって出力先がメイントレイ８ないし１０のいずれか１つかサブトレイ１１かのどちらかに決まる。
【００２８】
上述の具体的な説明を図３及び図６を用いて行う。例えば出力所要時間Ｔ１＝１５分、出力期限時刻Ｔ３＝１５時とする。出力を指令した時刻が月曜日の１０時だとすれば、空き時間Ｔ２が存在する（Ａ＝３０分間）ので、印刷動作はＡの時間帯で行われる。したがってこの場合は、任意のメイントレイ（例えば、最上段にあって最も良く使われるメイントレイ８）に出力される。
【００２９】
また、ユーザーがクライアント５を通じて印刷ジョブの出力指令をした時刻が月曜日の１３時だとすれば、空き時間Ｔ２は、この指令時刻である１３時から出力期限時刻Ｔ３＝１５時前に存在しない。したがってこの場合は、図６のサブトレイ１１に出力される。この場合の出力時間は、ユーザーのスケジュール内の空き時間内に出力できないことをクライアント５を通じてユーザーに通知した上でユーザーに出力時間の指令を促し、ユーザーが選択した時間に出力するようにしてもよいし、また出力期限時刻までの他の出力動作とかち合わない時間に自動的に出力指令を行うようにしてもよい。
【００３０】
このように、出力者の空き時間（＝出力物を取りに行ける）に出力を行う場合は空き時間中に任意のメイントレイ（例えば、メイントレイ８）に出力物が出力される。また、空き時間に出力できない場合はサブトレイ１１に出力物が出力される。
【００３１】
このように、本実施形態によれば、急がない出力物を普段使用しない特定のトレイに排出することにより、使用頻度の高いトレイに対する、出力物の放置及び出力物の満載による除去作業の必要性を防ぎ、優先度の高い出力を希望するユーザーの生産性を妨げないという利点がある。
（第５の実施形態）
次に、本発明の第５の実施形態を図８、９を用いて説明する。図８では前述の第４実施形態で示したような後処理装置７を使用しない、安価な画像形成装置１５の場合について述べる。
【００３２】
図８の画像形成装置１５において１６はメイントレイ、１７は排出された用紙を表す。図９は図８において矢印Ｊ方向から見た斜視図である。ここではメイントレイ１６上に排出された用紙１７は、出力物の搬送方向に対して垂直方向にオフセット出力されている。すなわち、１回の出力指令の実行毎に１７Ｌ１、１７Ｒ１、１７Ｌ２、１７Ｒ２のように左右にずらして出力されていく。このように出力することにより、出力物がどの出力指令の実行によるものかの区別ができるようになっている。
【００３３】
本実施形態では、これを上述の第４実施形態のフローチャート図７におけるメイントレイを図９の１７Ｒ２の排出位置（第１出力位置）、サブトレイを１７Ｌ１の排出位置（第２出力位置）のように置き換える。即ち、排出される出力物の優先度に応じて、例えば、出力物をすぐに取りに来ることができるユーザーの空き時間に出力する場合には、出力物は１７Ｒ２の位置に出力される。
【００３４】
他方、出力期限時刻までに出力物を取りに行ける空き時間がない場合は、第４実施形態と同様、予めユーザーが選択した時間又はコントローラ２が自動的に算出した他の出力動作とかち合わない時間に出力される。出力期限時刻までに出力物を取りに行ける空き時間がないユーザーの出力指令に基づいて空き時間以外に出力動作を実行した後（出力物αが出力される）、他の出力指令に基づく出力指令の実行があった場合には、当該他の出力指令の実行による出力物は１７Ｒ１、１７Ｌ２・・・と出力物αの上に左右にずらした形で積み重なり、結果として出力期限時刻までに出力物を取りに行ける空き時間がないユーザーが出力指令した出力物αは１７Ｌ１の位置に出力されていることになる。
【００３５】
このように、本実施形態によれば、後処理装置を使用しない安価な画像形成装置において、排出される出力物の優先度に応じた位置に排出することができるという利点がある。
（第６の実施形態）
次に本発明の第６の実施形態を説明する。ここでも同様に上述の第４実施形態のフローチャート図７のメイントレイを通常のトレイ、サブトレイを出力内容データを格納する格納手段（例えば、ハードディスク）に置き換える。ここで、ハードディスクが備えられる位置は、画像形成装置の内部又は外部を問わない。
【００３６】
即ち、すぐに取りにいける出力物については通常のトレイに出力し、空き時間がなく、すぐに取りに行けない出力物についてはハードディスクに蓄積しておくものである。蓄積された出力内容データは、出力指令をしたユーザーが画像形成装置のところに出力物を取りに行ける時に出力すれば良い。
【００３７】
このように、本実施形態によれば、急がない出力物を一旦格納手段に記録しておくことにより、出力物の放置や、出力物の満載による除去作業の必要性を防ぎ、優先度の高い出力を希望するユーザーの生産性を妨げないという利点がある。
【００３８】
ここで、以上の実施形態１〜６において、出力所要時間Ｔ１≦ユーザーのスケジュールの空き時間Ｔ２となるＴ２が存在したとしても、当該Ｔ２の時間帯に出力指令を実行することができない場合がある。例えばＴ１≦Ｔ２となるＴ２の時間内に、既に複数のユーザーのいずれかによって他の出力指令の実行が予定されている場合である。かかる場合には、Ｔ２の時間が複数のユーザーのいずれかによって出された他の出力指令と両立し得るかどうかを検索する。すなわち、Ｔ１≦Ｔ２の要件を満たすスケジュール内の空き時間の中から、既にサーバに記録されている出力指令の実行予定時間帯を除いた時間がＴ１以上あれば、他の出力指令と両立し得ることになる。
【００３９】
他方、例えば図３のスケジュールを有する特定のユーザーが、月曜日の１３時に出力所要時間Ｔ１＝３０分の出力指令を出したような場合、空き時間Ｂとの比較ではＴ１≦Ｔ２であるため、本来ならば出力指令の実行が可能である。しかし、既にＢの時間帯の中に複数のユーザーのいずれかによる出力予定が４０分間存在する場合には、Ｂの時間帯では出力所要時間Ｔ１＝３０分を確保できない。したがって、この場合には空き時間Ｂとの比較ではＴ１≦Ｔ２の条件を満たさないものとして扱う。
【００４０】
なお、以上の実施形態において、コントローラ２は画像形成装置１に備えた構成となっているが（図１）、図示しないプリントサーバがＬＡＮケーブル４を通じてネットワーク接続され、該プリントサーバにコントローラ２を備える構成としてもよい。この場合、前記の出力内容データはプリントサーバに格納することもできる。
【図面の簡単な説明】
【００４１】
【図１】本発明を実施した画像形成装置のシステムを示した図
【図２】本発明の第１の実施形態に係る画像形成装置の制御ルーチンのフローチャート
【図３】本発明の第１の実施形態に係るクライアント５の画面上に表示されたユーザーのスケジュールを示した表
【図４】本発明の第２の実施形態に係る画像形成装置の制御ルーチンのフローチャート
【図５】本発明の第３の実施形態に係るクライアント５の画面上に表示されたユーザーのスケジュールを示した表
【図６】本発明の第４の実施形態に係る後処理装置を示した図
【図７】本発明の第４の実施形態に係る画像形成装置の制御ルーチンのフローチャート
【図８】本発明の第５の実施形態に係る画像形成装置を示した図
【図９】図８において矢印Ｊ方向から見た斜視図
【符号の説明】
【００４２】
１    画像形成装置（画像形成手段に対応）
２    コントローラ（制御手段に対応）
３    スケジュールサーバ（スケジュール管理手段に対応）
４    ＬＡＮケーブル
５    各ユーザーのクライアント（コンピュータに対応）
【図１】
2006088641.tif 000003
【図２】
2006088641.tif 000004
【図４】
2006088641.tif 000005
【図５】
2006088641.tif 000006
【図６】
2006088641.tif 000007
【図７】
2006088641.tif 000008
【図８】
2006088641.tif 000009
【図９】
2006088641.tif 000010
【図３】
2006088641.tif 000011